(57)【要約】【課題】本発明は携帯電話用ストラップに電磁波防止機能と身体健康化機能を持たして携帯電話利用者の健康に寄与する。【解決手段】樹脂板材（３）を中心のベースコアーにして、あるいは本発明によれば、より強力に電磁波防御が出来るパーマロイ板や銅板およびアルミ箔板等をベースコアーにして、この表面に塗料状の電磁波吸収減衰体（２）を塗布して被覆し固めて設ける、さらにこの固めた前記減衰体の上から、高密度マイナスイオンを発生するイオンコート液（１）を塗布して設ける。そして完全に乾燥させた後に、適当なる位置に面ファスナー（４）を設け、この面ファスナー（４）同士で脱着出来るように、前記ファスナーを設けたキャップブラケット（４）を用意して、最後に携帯電話用のストラップ（５）に装着する。【選択図】    図  ５
2004358161.tif 000002
【特許請求の範囲】
【請求項１】
樹脂板材（３）をベース材にして、この片面または両表面に電磁波吸収減衰体（２）を塗布被覆して設け、これにストラップ（５）を装着してなる電磁波吸収減衰機能を備えた健康用携帯電話ストラップ。
【請求項２】
パーマロイ板をベース材にしてなる請求項１記載の電磁波吸収減衰機能を備えた健康用携帯電話ストラップ。
【請求項３】
導電性金属をベース材にしてなる請求項１記載の電磁波吸収減衰機能を備えた健康用携帯電話ストラップ。
【請求項４】
電磁波吸収減衰体（２）に被覆された塗布表面上に、さらにイオンコート液（１）を重ねて塗布して設けた請求項１、請求項２、請求項３記載の電磁波吸収減衰機能を備えた健康用携帯電話ストラップ。
【請求項５】
面ファスナー（６）を設けた、キャップブラケット（４）を、面ファスナー同士で脱着できるように装着した請求項１、請求項２、請求項３、請求項４記載の電磁波吸収減衰機能を備えた健康用携帯電話ストラップ。
【請求項６】
導電性金属類のみで構成された健康用携帯電話ストラップ。
【発明の詳細な説明】
【０００１】
【発明の属する技術分野】
本発明は、携帯電話から出る電磁波を吸収減衰させる技術および高密度マイナスイオンを発生させる技術を利用した携帯電話ストラップに関するものである。
【０００２】
【従来の技術】
最近、携帯電話の普及率は子供から老人迄、大変な勢いで増加しており、まもなく国民一人一台の時代を迎えようとしている。その為、発生している強力な電磁波をシールドする必要があり、現在、携帯電話が発生している強力な電磁波を無害レベル迄減衰する事が大きな課題である。従来、使用者側の頭部の耳覆いを付けて電磁波を遮蔽する手段（特開平８−７８８７４）や（特開平９−４６７５６および特開平１０−６５７８３）および携帯電話ケースにシールド素材をもちいて、電話全体を包み込んでシールドするもの（特開平１０−３０８５９５および特開平１１−３１２８９１）等あるが減衰効果も遮蔽効果も定かではなかった。
【０００３】
【発明が解決しようとする課題】
これは次のような問題点があった。
携帯電話は通話中は一段と強くなる。また一番強力な電磁波が発生するのは、電話着信時である。だから呼出し中の音発信時、バイブレータ作動時、が特に強烈な電磁波が流れるこれは社会問題にまで、取り上げられている。実際、心臓病患者のペースメーカーや精密機器に誤動作を起こす事は公知の事実である。この電磁波を吸収減衰する方法に、シンプルで効果的なものが少なかった。また電磁波防御だけでなく、積極的に身体の健康に寄与するものはなかった。
本発明は、これらの問題点を除くためになされたものである。
【０００４】
【課題を解決するための手段】
本発明は、電磁波減衰効果と共に、取り扱い面に於いても、装着利用する面に於いても、シンプルで手軽さを提供することを目的としている。また本発明は本出願人の先行技術である、特開平１１−２４４４００のプレートや、実登録第３０７４５４６の電磁波減衰遮蔽携帯電話ケース、そして実願２０００−８８７４の携帯電話電磁波減衰吸収カード等の関連技術であり、特に携帯電話の発生する強力な電磁波を整流して減衰させる目的を達成する為に、本発明においては、基本的には単体の導電性金属類（同メッシュ板含）のみで構成されており、十分効果を上げているが、さらに研究開発を重ねて樹脂板材（３）をベースコアーにして、あるいはパーマロイ板や導電性金属板である、銅系、ニッケル系、銀系、アルミ系、または金属メッシュ板をベースコアーにして、この表面に導電性金属粉フイラーを樹脂ワニスに分散させて、塗料化またはインク化した、電磁波吸収減衰体（２）を塗布して被覆し固めて設ける、さらにこの固めた前記減衰体の上から、高密度マイナスイオンを発生するイオンコート液（１）を塗布して設ける。このイオンコート液（１）は本出願人が開発した、特願２００２−２２８２３６を応用したものである。そして完全に乾燥させた後に、これに面ファスナー（６）を設け、また面ファスナーを設けたキャップブラケット（４）をファスナー同士で脱着できるように装着する。あるいはこれらファスナーやキャップブラケットは設けなくてもよいが、最後に携帯電話用のストラップ（５）に装着する。
本発明は、以上のような構成よりなる電磁波吸収減衰機能を備えた健康用携帯電話ストラップである。
【０００５】
【発明の実施の形態】
本発明に於いては、単体の導電性金属類のみだけで構成したのものと、樹脂材（３）を中心のベースコアーにしてあるいは、より強力に電磁波防御が出来るパーマロイ板や導電性金属の銅系、銀系、アルミ系、ニッケル系等の板、または金属メッシュ板をベースコアーにして、この表面に塗料化またはインク化した、電磁波吸収減衰体（２）を塗布して被覆し固めて設ける、さらにこの固めた前記減衰体の上から、高密度マイナスイオンを発生するイオンコート液（１）を塗布して設ける。そして完全に乾燥させた後に、適当なる位置に面ファスナー（４）を貼付けて設け、これに面ファスナー（４）を設けたキャップブラケット（４）をファスナー同士で脱着できるように装着し、あるいはこれらを、装着しなくてもよいが、最後に携帯電話用のストラップ（５）に装着する。
【０００６】
つまり本発明は、丸型、卵型、四角型等、色々な形にできるが、図４のごとく携帯電話パネル側の反対の裏側に接近して装着して、放射電磁波を吸収減衰させる（整流による減衰効果と干渉効果と考えられる）大きな特徴を持っている。
また、図６のように本発明は面ファスナー（６）に装着させた、キャップブラケット（４）を携帯電話のアンテナ部分に差し込むだけでよい。あるいは図７のごとく手で押さえるだけでもよい。
本発明によれば、この減衰効果は携帯電話の放射電磁波、つまり高周波系のマイクロ波に極めてよくきく事が分かった。しかし、電子レンジなどの低周波系のマイクロ波にはあまり効果を示さなかった。
次に吸収減衰率は非常に高いので、通話障害が出るかどうかのテストも行う。
2004358161.tif 000003
さらに、イオンコート液（１）より発生する高密度マイナスイオンの作用で、本発明の利用者身体の健康に寄与すると共に、電磁波や悪玉静電気をも、中和するので、ダブル効果として大いに評価できる。
つまり、ストラップに取り付けた本発明を携帯電話の後ろに装着するだけで、上記の効果が満たされる構成になっている。
【０００７】
図３のごとく電磁波測定器のマイクロ波測定器（７）と携帯電話（ＮＴＴドコモ−Ｆ６７１ｉ）を１５センチ以内の距離に置いて、携帯電話を呼び出し、通話状態にして測定を行った。以下、電磁マイクロ波の減衰特性を説明する。
測定条件として、測定に使用した携帯電話・・・ＮＴＴドコモ−Ｆ６７１ｉ。
マイクロ波測定器は・・・Ｗ．Ｂ．Ｌｅｅ社製トリフィールドメーター。
測定室は一般事務所内に於いて行い、室内の機器類は全てＯＦＦにする。
測定環境は温度１７℃、湿度４３％の中で行った。
【０００８】
【表１】
2004358161.tif 000004
【０００９】
【表２】
2004358161.tif 000005
【００１０】
表１、表２、の前方向以外にも測定したが同様な減衰を示した。他の測定方向は、右方向、左方向、後ろ方向、上方向、下方向である。
【００１１】
【表３】
2004358161.tif 000006
【００１２】
【表４】
2004358161.tif 000007
【００１３】
本発明によれば、表１、表２、はアクリル樹脂ワニス１００％に対して、銅系導電性金属フイラー（粒度・３２５メッシュ）を重量比で３５％の分散剤として分散ミル機により塗料化して、樹脂プレート（板厚０．７・硬質エンビ板）に、塗膜２０μでスプレコーティングを施したものを、測定した結果である。
本発明は導電性テスター（ＳＡＮＷＡ−ＳＰ２０）で導通性０Ωを示す。
そして、表３、表４、はアクリル樹脂ワニス１００％に対して、導電性カーボンを重量比で８％の分散剤として塗料化し、上記のごとくスプレコーティングを施し、測定したものである。上記テスターで導通性７Ωを示す。またカーボン１２％の場合は、０Ωを示した。以上の事から、一般的には１０Ω〜０Ωの導通性、導電性があれば携帯電話の電磁波減衰効果が有る事が判明した。
本発明によれば、最適値は０Ω〜５Ωであった。
【００１４】
表１、表２、表３、表４から分かるように、本発明を装着することにより電磁波、つまりマイクロ波が効果的に減衰していることが判明した。
またこの減衰は、本発明によれば電磁波吸収と云うよりも電磁波干渉現象による、ドップラー効果で大きな減衰を起こしている事が判明した。
【００１５】
【実施例】
本発明は以上のような構造であり、これを使用するときは面ファスナー（６）を設けたキャップブラケット（４）を本発明に装着して、各図で示すごとく携帯電話のアンテナ部分に前記キャプを差し込む。このように簡単に装着するだけで良い。本発明の特徴は、電磁波は四方に放射されるが、整流による減衰効果のために、背面に装着しても電磁波干渉現象により減衰が容易なのである。また、トルマリンイオンコートの働きにより、マイナスイオンが自然に発生し続けるので、人体の細胞の要になるイオンチャンネルを電磁波の破壊から守り、細胞膜にあるイオンチャンネルを活性化し、毛細血管の血流の浄化を行うので、電磁波を減衰吸収するだけでなく、複合的に人体への健康にも寄与している。さらに有害静電気等も除去してくれる。
【００１６】
【発明の効果】
１．携帯電話本体、アンテナ部分からの、四方に飛散放射する強力有害電磁波を携帯電話のアンテナ部分の後ろ側に装着するだけで、全部減衰する事が出来る。
２．高密度マイナスイオンや遠赤外線を発生し続けるので、皮下の毛細血流を徐々に浄化し、帯電してる静電気を中和し、同時に消臭作用もある。
３．電磁波（マイクロ波）を強力に吸収減衰させるので、人や精密機器に影響せず、安心して何処でも電話が出来るようになる。さらに、今まで電話に雑音が入る時があったが、本発明を装着すると、そのノイズ類を１／５に減衰させる能力があることが、テスト結果で新効果として発見された。また、通話感度にはなんら影響しないのである。
４．電磁波吸収減衰体を塗料化、インク化出来た事で、吹付塗装あるいは印刷方法で、材料として紙、樹脂、繊維、その他非導性基材に応用出来る。
５．取り扱いが簡単であり、構造がシンプルなので生産が容易である。
【図面の簡単な説明】
【図１】本発明の装着説明図である。
【図２】本発明の後ろから見た装着説明図である。
【図３】本発明の電磁波測定説明図である。
【図４】本発明の電磁波発生状況図である。
【図５】本発明の施工斜視図である。
【図６】本発明の装着実施図である。
【図７】本発明の実施図である。
【図８】本発明の利用図である。
【符号の説明】
１  イオンコート液
２  電磁波吸収減衰体
３  樹脂板材
４  キャップブラケット
６  面ファスナー
５  ストラップ
７  マイクロ波測定器
８  測定距離
９  測定台
１０  電磁波
１１  減衰電磁波
１２  マイナスイオン
2004358161.tif 000008
2004358161.tif 000009
【図１】
2004358161.tif 000010
【図２】
2004358161.tif 000011
【図３】
2004358161.tif 000012
【図４】
2004358161.tif 000013
【図５】
2004358161.tif 000014
【図６】
2004358161.tif 000015
【図７】
2004358161.tif 000016
【図８】
2004358161.tif 000017